(57)【特許請求の範囲】
【請求項１】
複数の画素電極と、
前記複数の画素電極に対向する対向電極と、
前記複数の画素電極と前記対向電極との間に配設された電気泳動粒子を含む電気泳動層と、
前記複数の画素電極と前記電気泳動層との間に配置された、水分を含有する接着剤層と、
隣り合う前記画素電極の間の領域に設けられた、絶縁性吸湿材料からなる絶縁層と、
を備えることを特徴とする電気泳動表示装置。
【請求項２】
前記絶縁層は、前記画素電極から離間して設けられていることを特徴とする請求項１記載の電気泳動表示装置。
【請求項３】
前記絶縁層は、前記画素電極の上面より前記電気泳動層側に突出して形成されていることを特徴とする請求項１又は２に記載の電気泳動表示装置。
【請求項４】
前記電気泳動層は、電気泳動粒子を封入したマイクロカプセルを含んで構成されることを特徴とする請求項１〜３のいずれか一項に記載の電気泳動表示装置。
【請求項５】
請求項１〜４のいずれか一項に記載の電気泳動表示装置を備えたことを特徴とする電子機器。
【発明の詳細な説明】
【技術分野】
【０００１】
本発明は、電気泳動表示装置及び電子機器に関する。
【背景技術】
【０００２】
従来、液相分散媒と電気泳動粒子とを含む電気泳動分散液を有し、電界を印可することにより、電気泳動粒子の分布状態が変化して電気泳動分散液の光学特性が変化することを利用した、電気泳動表示装置が知られている。このような電気泳動表示装置は、バックライトが必要無いことから低コスト化や薄型化が可能となり、さらに、視野角が広くコントラストが高いことに加え、表示のメモリ性を有するために、次世代の表示デバイスとして注目を集めている。
【０００３】
この電気泳動表示装置で画像を表示させるためには、スイッチング素子を介してメモリ回路に一旦画像信号を記憶させる。メモリ回路に記憶された画像信号は、画素電極（第１電極）に直接入力され、画素電極に電位を与える。すると、対向電極（第２電極）との間で電位差が発生することから、電気泳動素子が動作し、画像を表示するようになる（例えば、特許文献１参照）。
【特許文献１】特開２００３−８４３１４号公報
【発明の開示】
【発明が解決しようとする課題】
【０００４】
ところで、電気泳動表示装置に画像を表示させるためには、電気泳動粒子を挟持する電極間に例えば１５Ｖ程度の電圧を印加する必要がある。このとき、隣り合う画素どうしで、例えば白と黒のように異なった（反転した）色を表示すると、隣り合う画素の画素電極には互いに異なる電位が印加されるようになる。すると、これら隣り合う画素電極間では大きな電位差が発生し、これにより、画素電極上に設けられた接着剤層中の水分などを介して、隣り合う画素電極間でリーク電流が生じてしまう。
【０００５】
このリーク電流は、１画素あたりのリーク電流が小さくても、電気泳動表示装置の表示部全体としては大きくなり、消費電力を増大させてしまう。また、反転表示領域が拡大し、これに伴って表示が複雑になると、やはり消費電力を増大させてしまう。
さらに、リーク電流の発生によって画素電極が化学反応を起こすおそれがあり、したがって、特に長時間使用した際に、電気泳動表示装置としての信頼性が低下するおそれがある。
【０００６】
本発明は前記事情に鑑みてなされたもので、その目的とするところは、画素間のリーク電流を抑え、製品の信頼度を向上させた電気泳動表示装置と、これを備えた電気機器を提供することをことにある。
【課題を解決するための手段】
【０００７】
本発明の電気泳動表示装置は、画素電極と、前記画素電極に対向する対向電極と、前記画素電極と前記対向電極との間に配設された電気泳動粒子からなる電気泳動層と、を有する電気泳動素子を備えた画素を、平面的に配列してなる電気泳動表示装置において、
隣り合う前記画素電極の間の領域に、絶縁性吸湿材料からなる絶縁層が設けられていることを特徴としている。
【０００８】
この電気泳動表示装置によれば、前記画素電極の間の領域に設けた前記絶縁層が、隣り合う画素電極間でのリーク電流、すなわち横方向の電界を遮断するので、前記画素間のリーク電流の発生が抑えられる。また、前記絶縁層が絶縁性吸湿材料からなっているので、例えば画素電極と電気泳動層との間に接着剤層が設けられている場合に、この接着剤層に含まれている水分を絶縁層で吸着し、該接着剤層中から除去することができる。よって、水分に起因してリーク電流が生じ易くなるのが防止され、リーク電流そのものが抑えられる。したがって、リーク電流に起因する表示性能の低下や消費電流の増大が防止され、これによって製品の信頼度が向上したものとなる。
【０００９】
また、前記電気泳動表示装置においては、前記絶縁層は、前記画素電極から離間して設けられているのが好ましい。
絶縁層が水分を吸着することにより、この吸着した水分によって絶縁層が局部的に絶縁性が低下してしまうおそれがある。しかし、絶縁層が画素電極から離間して設けられているので、画素電極が水分を吸着した絶縁層のみを介して隣り合うことがなく、その間に接着剤層などが介在するようになる。したがって、絶縁層に吸着された水分により、隣り合う画素電極間でリーク電流が生じ易くなってしまうといったおそれが確実に防止される。
【００１０】
また、前記電気泳動表示装置においては、前記絶縁層が、前記画素電極の上面より前記電気泳動層側に突出して形成されているのが好ましい。
このようにすれば、隣り合う画素電極間でのリーク電流は、絶縁層の上側を越える必要があることから、互いのリーク電流の経路が長く（遠く）なり、したがってこれらの間でリーク電流が生じにくくなる。
【００１１】
また、前記電気泳動表示装置においては、前記電気泳動層が、電気泳動粒子を封入したマイクロカプセルによって構成され、該マイクロカプセルが、導電性接着剤層を介して前記画素電極上に設けられているのが好ましい。
このようにすれば、前記電気泳動層内において前記電気泳動粒子が均一に分布するようになるので、前記両電極の間の電位差に基づいた均一な画像表示を行うことが可能になる。
【００１２】
本発明の電子機器は、前記の電気泳動表示装置を備えたことを特徴としている。
この電子機器によれば、前記したようにリーク電流に起因する表示性能の低下や消費電流の増大が防止され、これによって製品の信頼度が向上した電気泳動表示装置を備えているので、この電子機器自体も製品の信頼度が向上した良好なものとなる。
【発明を実施するための最良の形態】
【００１３】
以下、図面を用いて本発明を詳しく説明する。なお、以下の説明に用いる各図面では、各部材を認識可能な大きさとするため、縮尺を適宜変更している。
［電気泳動表示装置］
図１は、本発明の電気泳動表示装置の一実施形態を示す構成図であり、図１中符号１は電気泳動表示装置である。この電気泳動表示装置１は、表示部３と、走査線駆動回路６と、データ線駆動回路７と、共通電源変調回路８と、コントローラ１０とを備えて構成されている。
【００１４】
表示部３には、Ｙ軸方向に沿ってＭ個、Ｘ軸方向に沿ってＮ個の画素２がマトリクス状に形成されている。走査線駆動回路６は、表示部３をＸ軸方向に沿って延びる複数の走査線４（Ｙ１、Ｙ２、…、Ｙｍ）を介して、画素２に接続されている。データ線駆動回路７は、表示部３をＹ軸方向に沿って延びる複数のデータ線５（Ｘ１、Ｘ２、…、Ｘｎ）を介して、画素２に接続されている。共通電源変調回路８は、共通電極電源配線１５を介して画素２に接続されている。これら走査線駆動回路６、データ線駆動回路７、及び共通電源変調回路８は、コントローラ１０によって制御されるようになっている。電源線１３、１４、及び共通電極電源配線１５は、全ての画素２において共通配線として用いられている。
【００１５】
画素２は、その回路構成を示す図２に示すように、駆動用ＴＦＴ（Ｔｈｉｎ  Ｆｉｌｍ  Ｔｒａｎｓｉｓｔｏｒ、画素スイッチング素子）２４と、ＳＲＡＭ（Ｓｔａｔｉｃ  Ｒａｎｄｏｍ  Ａｃｃｅｓｓ  Ｍｅｍｏｒｙ、メモリ回路）２５と、電気泳動素子２０とを備えて構成されている。電気泳動素子２０は、画素電極２１と、共通電極（対向電極）２２と、電気泳動層２３とからなっている。
【００１６】
駆動用ＴＦＴ２４は、Ｎ−ＭＯＳ（Ｎｅｇａｔｉｖｅ  Ｍｅｔａｌ  Ｏｘｉｄｅ  Ｓｅｍｉｃｏｎｄｕｃｔｏｒ）で構成されており、そのゲート部には走査線４が、ソース側にはデータ線５が、ドレイン側にはＳＲＡＭ２５が、それぞれ接続されている。この駆動用ＴＦＴ２４は、走査線駆動回路６から走査線４を介して選択信号が入力される期間中、データ線５とＳＲＡＭ２５とを接続させることにより、データ線駆動回路７からデータ線５を介して入力される画像信号を、ＳＲＡＭ２５に入力するようになっている。
【００１７】
ＳＲＡＭ２５は、２つのＰ−ＭＯＳ（Ｐｏｓｉｔｉｖｅ  Ｍｅｔａｌ  Ｏｘｉｄｅ  Ｓｅｍｉｃｏｎｄｕｃｔｏｒ）２５ｐ１、２５ｐ２、及び２つのＮ−ＭＯＳ２５ｎ１、２５ｎ２によって構成されている。Ｐ−ＭＯＳ２５ｐ１、２５ｐ２のソース側には、第１の電源線１３が接続され、Ｎ−ＭＯＳ２５ｎ１、２５ｎ２のソース側には、第２の電源線１４が接続されている。
【００１８】
ＳＲＡＭ２５のＰ−ＭＯＳ２５ｐ１のドレイン側及びＮ−ＭＯＳｎ１のドレイン側には、駆動用ＴＦＴ２４と、Ｐ−ＭＯＳ２５ｐ２のゲート部と、Ｎ−ＭＯＳ２５ｎ２のゲート部とがそれぞれ接続されている。ＳＲＡＭ２５のＰ−ＭＯＳ２５ｐ２のドレイン側及びＮ−ＭＯＳｎ２のドレイン側には、Ｐ−ＭＯＳ２５ｐ１のゲート部と、Ｎ−ＭＯＳ２５ｎ１のゲート部とがそれぞれ接続されている。
このような構成のもとにＳＲＡＭ２５は、駆動用ＴＦＴ２４から送られた画像信号を保持するとともに、画素電極２１に画像信号を入力するようになっている。
【００１９】
電気泳動素子２０は、画素電極２１と共通電極２２との間の電位差によって画像を表示するものであり、その共通電極２２には共通電極電源配線１５が接続されている。
図３は電気泳動表示装置１の表示部３の要部断面図である。表示部３は、画素電極２１を備えた素子基板（第１基板）２８と、共通電極２２を備えた対向基板（第２基板）２９との間に、電気泳動層２３を備えた構成となっている。電気泳動層２３は、多数のマイクロカプセル４０によって構成されたもので、マイクロカプセル４０が両基板２８、２９間に接着剤で固定され、形成されたものである。
【００２０】
すなわち、素子基板２８の画素電極２１と電気泳動層２３との間には、導電性の接着剤からなる接着剤層（導電性接着剤層）３０ａが設けられており、対向基板２９の共通電極２２と電気泳動層２３との間には、バインダ（接着剤）からなるバインダ層３０ｂが設けられている。接着剤層３０ａについては、後述するようにマイクロカプセル４０内の電気泳動粒子の応答性を高め、表示の切り替え速度を速めるべく、その導電性が十分に高められている。また、この接着剤層３０ａは、本実施形態では厚さ２０μｍ程度の薄厚に形成されている。したがって、画素電極２１とマイクロカプセル４０との間の抵抗が十分に小さくなっており、これらの間の導電性が十分に高くなっている。
【００２１】
素子基板２８は、合成樹脂やガラスなどからなる矩形状の基板の内面側に、図示しないものの、前記した駆動用ＴＦＴ２４やＳＲＡＭ２５、各種配線を形成し、さらにその上に、アクリル樹脂等からなる平坦化層（図示せず）を形成したものである。そして、このように平坦化層で平坦化された内面上には、前記ＳＲＡＭ２５に接続して画素電極２１が形成されている。画素電極２１は、各画素２ごとに独立して設けられた平面視矩形状のもので、Ａｌ（アルミニウム）や銅（Ｃｕ）、さらにはＡｌＣｕ等によってマトリクス状に形成されたものである。なお、本実施形態では、導電性に優れ、かつ、耐食性にも優れたＡｌＣｕにより、画素電極２１が形成されている。
【００２２】
対向基板２９は、画像を表示する側となるもので、透明樹脂やガラスなどの透光性材料によって形成された矩形状のものである。この対向基板２９の内面側には、全ての画素２において共通な共通電極２２が設けられている。共通電極２２は、透光性の導電材料からなるもので、例えばＩＴＯ（インジウム・スズ酸化物）、ＩＺＯ（インジウム・亜鉛酸化物）、ＭｇＡｇ（マグネシウム銀）等によって形成されたものである。
【００２３】
前記画素電極２１、２１間、すなわち、隣り合う画素電極２１、２１の間の領域には、絶縁層３１が形成されている。この絶縁層３１は、絶縁性吸湿材料によって形成されたもので、酸化カルシウム、塩化カルシウム、五酸化二リン、酸化アルミニウム、塩化コバルト、酸化ストロンチウム等の無機系吸湿材料、あるいは、アルキルアルミニウム系を主剤とする有機系の液体乾燥剤などからなるものである。
【００２４】
また、この絶縁層３１は、本実施形態では、隣り合う画素電極２１、２１間の領域において、これら画素電極２１、２１のいずれからも離間して設けられている。すなわち、絶縁層３１は、隣り合う画素電極２１、２１のそれぞれの側端面２１ａに当接することなく、これら側端面２１ａ、２１ａ間に配設されたものである。つまり、絶縁層３１と画素電極２１とを示す平面図である図４に示すように、絶縁層３１は、画素電極２１間の領域において、画素電極２１から離間し、かつ該画素電極２１を囲った状態で、全体として平面視格子状に形成されたものである。また、絶縁層３１は、図３に示したようにその上面が、画素電極２１の上面より電気泳動層２３側に突出した状態で設けられている。
【００２５】
この絶縁層３１はその厚さ、つまり画素電極２１の上面より電気泳動層２３側に突出した高さが、１μｍ以上であり、かつ前記接着剤層３０ａの厚さ以下、すなわち２０μｍ程度以下に形成されているのが好ましい。１μｍ未満であると、隣り合う画素電極２１、２１間でのリーク電流を遮断する効果が十分に得られなくなるおそれがあるからである。
また、接着剤層３０ａの厚さを超えると、絶縁層３１のストレス（応力）が増大し、膜剥がれが生じるおそれがあるからである。なお、この絶縁層３１が接着剤層３０ａを越えて電気泳動層２３側にまで突出すると、前記マイクロカプセル４０を損傷してしまうおそれが生ずる。しかし、マイクロカプセル４０は十分な柔軟性を有しているので、絶縁層３１が電気泳動層２３側に多少突出していても、これによってすぐに損傷してしまうといったことはない。本実施形態では、画素電極２１の上面より電気泳動層２３側に突出した高さが、１．８μｍ程度になっている。
【００２６】
このような絶縁層３１は、前記絶縁性吸湿材料の種類に応じて適宜な形成法が選択され、形成される。例えば、アルキルアルミニウム系を主剤とする有機系の液体乾燥剤の場合では、インクジェット法等の液滴吐出法によって画素電極２１、２１間に液体乾燥剤を配置し、その後乾燥することにより、絶縁層３１を形成することができる。また、酸化カルシウム等の無機系吸湿材料についても、適宜な溶媒又は分散媒に溶解し又は分散させて液状化しておき、この液状体をインクジェット法等の液滴吐出法で所望位置に配置し、その後乾燥することにより、絶縁層３１を形成することができる。
【００２７】
また、無機系吸湿材料については、これを多孔質フィルムに固定し複合化してシート状に形成しておき、このシートをパターニングして、所望位置（画素電極２１、２１間）に貼着するようにしてもよい。このようにしても、多孔質フィルム上に固定された無機系吸湿材料により、絶縁層３１を形成することができる。なお、このようなシートは市販されている。
さらに、無機系吸湿材料については、電子ビーム（ＥＢ）蒸着法により、該無機系吸湿材料をマスクを用いて所望位置に選択的に成膜し、絶縁層３１を形成することもできる。
【００２８】
電気泳動層２３を構成するマイクロカプセル４０は、ポリメタクリル酸メチル、ポリメタクリル酸エチル等のアクリル樹脂、ユリア樹脂、アラビアゴム等の透光性を持つ高分子樹脂によって形成されたもので、例えば５０μｍ程度の粒径に形成されたものである。これらマイクロカプセル４０は、前述したように画素電極２１と共通電極２２との間に挟持され、さらに前記の接着剤層３０ａとバインダ層３０ｂとによって各電極上、すなわち各基板上に固定されたものである。なお、これらマイクロカプセル４０は、一つの画素２内に複数が縦横に配列された構成になっている。また、これらマイクロカプセル４０間には、その隙間を埋めるように、前記のバインダ層３０ｂを構成するバインダが設けられている。
【００２９】
マイクロカプセル４０の内部には、図５に示すように、分散媒４１と、電気泳動粒子である多数の白色粒子４２、及び多数の黒色粒子４３とが封入されている。
分散媒４１としては、例えば水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独又はこれらの混合物に界面活性剤等を配合したものからなり、白色粒子４２と黒色粒子４３とをマイクロカプセル４０内に分散させる液体である。
【００３０】
白色粒子４２は、二酸化チタン、亜鉛華、三酸化アンチモン等の白色顔料からなる粒子（高分子あるいはコロイド）であり、例えば負に帯電されたものである。黒色粒子４３は、アニリンブラック、カーボンブラック等の黒色顔料からなる粒子（高分子あるいはコロイド）であり、例えば正に帯電されたものである。
なお、このような顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
また、これら電気泳動粒子（白色粒子４２、黒色粒子４３）の比重は、これらを分散させる分散媒４１の比重とほぼ等しくなるように設定されている。
【００３１】
白色粒子４２及び黒色粒子４３は、前記のように負あるいは正に帯電されていることから、分散媒４１中において、画素電極２１と共通電極２２との間の電位差によって発生する電場中を移動（泳動）するようになっている。ここで、白色粒子４２及び黒色粒子４３は、溶媒中のイオンによって覆われており、これらの粒子の表面にはイオン層４４が形成されている。なお、これら白色粒子４２や黒色粒子４３などの帯電粒子は、１０ｋＨｚ以上の周波数の電界を印加しても、電界にほとんど反応せず、したがってほとんど移動しない。また、帯電粒子の周りのイオンは、帯電粒子に比べてその径がはるかに小さいので、電界の周波数が１０ｋＨｚ以上の電界を印加すると、電界に応じて移動する。
【００３２】
図６は、マイクロカプセル４０内の電気泳動粒子の動作を説明するための図である。ここでは、イオン層４４が形成されない理想的な場合を例に挙げて説明する。画素電極２１と共通電極２２との間で相対的に共通電極２２の電位が高くなるように電圧が印加されると、図６（ａ）に示すように、正に帯電された黒色粒子４３はクーロン力によってマイクロカプセル４０内で画素電極２１側に引き寄せられる。一方、負に帯電された白色粒子４２はクーロン力によってマイクロカプセル４０内で共通電極２２側に引き寄せられる。この結果、マイクロカプセル４０内の表示面側（対向基板２９側）には白色粒子４２が集まることになり、表示面にはこの白色粒子４２の色（白色）が表示されるようになる。
【００３３】
逆に、画素電極２１と共通電極２２との間で相対的に画素電極２１の電位が高くなるように電圧が印加されると、図６（ｂ）に示すように、負に帯電された白色粒子４２がクーロン力によって画素電極２１側に引き寄せられる。一方、正に帯電された黒色粒子４３はクーロン力によって共通電極２２側に引き寄せられる。この結果、マイクロカプセル４０の表示面側には黒色粒子４３が集まることになり、表示面にはこの黒色粒子４３の色（黒色）が表示されるようになる。
なお、白色粒子４２、黒色粒子４３に用いる顔料を、例えば赤色、緑色、青色等の顔料に代えることにより、赤色、緑色、青色等を表示する電気泳動表示装置１とすることも可能である。
【００３４】
このような構成の電気泳動表示装置１を製造するには、図３に示したように素子基板２８側と対向基板２９側とをそれぞれ形成しておき、その後、これらの間に電気泳動層２３を挟持した状態で、これら素子基板２８側と対向基板２９側とを貼着する。
すなわち、素子基板２８として、従来と同様にして基板（図示せず）上に前記駆動用ＴＦＴ２４やＳＲＡＭ２５、各種配線を形成し、さらにその上にアクリル樹脂等からなる平坦化層（図示せず）を形成する。前記駆動用ＴＦＴ２４やＳＲＡＭ２５の形成にあたっては、低温ポリシリコンプロセスによってポリシリコンＴＦＴを形成するのが好ましい。
【００３５】
次に、この素子基板２８上に、ＡｌＣｕ膜（図示せず）をスパッタ法等によって形成し、さらに公知のレジスト技術、エッチング技術等によってパターニングすることにより、図７（ａ）に示すように多数の画素電極２１を形成する。これにより、アクティブマトリクス基板が得られる。
【００３６】
次いで、前記素子基板２８上の所定位置、すなわち、前記画素電極２１、２１間の領域に、絶縁性吸湿材料を選択的に配し、図７（ｂ）に示すように絶縁層３１を形成する。この絶縁層３１の形成に関しては、前述したように、絶縁性吸湿材料の種類に応じて適宜な形成法が選択される。すなわち、インクジェット法等の液滴吐出法や、予めパターニングしておいたシートを貼着する方法、さらには、電子ビーム（ＥＢ）蒸着法による成膜法などが採用される。
【００３７】
一方、対向基板２９としてＰＥＴ（ポリエチレンテレフタレート）等の透明基板を用意し、この対向基板２９上（内面）に、ＩＴＯ等の透明導電材料をスパッタ法等によって成膜し、共通電極２２を形成する。次いで、この共通電極２２上に前記バインダ層３０ｂを介してマイクロカプセル４０を固着し、電気泳動層２３を形成する。その後、この電気泳動層２３の内面側に、導電性接着剤を塗布して接着剤層３０ａを形成する。本実施形態では、該接着剤層３０ａの厚さを２０μｍ程度に形成する。これにより、図７（ｃ）に示すように、共通電極２２、電気泳動層２３、接着剤層３０ａを形成した対向基板２９側を得る。
【００３８】
このようにして素子基板２８側と対向基板２９側をそれぞれに用意したら、それぞれの内面側を突き合わせ、前記接着剤層３０ａを画素電極２１及び絶縁層３１に当接し接着する。これにより、図３に示したように、素子基板２８側と対向基板２９側とが接着剤層３０ａによって貼着されてなる、電気泳動表示装置１が得られる。このようにして形成された電気泳動表示装置１の前記接着剤層３０ａ中には、接着剤そのものに僅かながら残留する水分や、製造工程中に含まれてしまった水分、さらには、製造工程後に、大気中の水分や他の構成要素中の水分が接着剤層３０ａ中に拡散することで含まれてしまった水分が、存在している。
【００３９】
［電気泳動表示装置の駆動方法］
次に、本実施形態の電気泳動表示装置１の駆動方法について説明する。
図８は、本発明に係る電気泳動表示装置１のタイミングチャートを示す図である。本図では、電源オフ期間、画像信号入力期間、画像表示期間、及び電源オフ期間の順序で動作を行い、画像が表示される様子を示している。これらの動作を以下の表にまとめる。
【００４０】
【表１】
0004586863.tif 000002
【００４１】
まず、画像信号入力期間について説明する。図１に示した共通電源変調回路８は、第１の電源線１３におよそ５Ｖの電位を供給し、第２の電源線１４にローレベルであるおよそ０Ｖを供給することで、図２に示したＳＲＡＭ２５を駆動させる。
図１に示した走査線駆動回路６は、走査線Ｙ１に選択信号を供給する。この選択信号により、走査線Ｙ１に接続された画素２の駆動用ＴＦＴ２４が駆動され、走査線Ｙ１に接続された画素２のＳＲＡＭ２５は、データ線Ｘ１、Ｘ２、…、Ｘｎにそれぞれ接続される。
【００４２】
図１に示したデータ線駆動回路７は、データ線Ｘ１、Ｘ２、…、Ｘｎに画像信号を供給し、走査線Ｙ１に接続された画素２のＳＲＡＭ２５に画像信号を入力する。
画像信号が入力されると、走査線駆動回路６は、走査線Ｙ１への選択信号の供給を停止し、走査線Ｙ１に接続された画素２の選択状態を解除する。この動作を走査線Ｙｍに接続された画素２に対して行われるまで続け、すべての画素２のＳＲＡＭ２５に画像信号を入力する。
【００４３】
次に、画像表示期間について説明する。
共通電源変調回路８は、第１の電源線１３におよそ１５Ｖのハイレベルの電位を供給することで、画像表示期間に移行する。
ＳＲＡＭ２５がハイレベルで駆動されるようになると、５ＶでＳＲＡＭ２５に入力した画像信号は、ハイレベルで保持される。
【００４４】
共通電極２２には、共通電源変調回路８から共通電極電源配線１５を介して、ハイレベルの期間とローレベルの期間とを一定周期で繰り返すパルス状の信号が入力される。
ＳＲＡＭ２５に入力された画像信号がローレベルである画素２では、ＳＲＡＭ２５から画素電極２１にハイレベルが入力される。
そして、パルス状の信号が入力されている共通電極２２の電位がローレベルのときに、両電極２１、２２の間に大きな電位差が発生し、白色粒子４２は画素電極２１に引き寄せられ、黒色粒子４３は共通電極２２に引き寄せられるので、この画素２には黒色が表示される。
【００４５】
一方、画像信号として５Ｖの電位がＳＲＡＭ２５に入力された画素２では、ＳＲＡＭ２５から画素電極２１にローレベルが入力される。
そして、パルス状の信号が入力されている共通電極２２の電位がハイレベルのときに、両電極２１、２２の間に大きな電位差が発生し、黒色粒子４３は画素電極２１に引き寄せられ、白色粒子４２は共通電極２２に引き寄せられるので、この画素２には白色が表示される。
画像表示期間により画像が表示されると、共通電源変調回路８は、電源線１３、１４、及び共通電極電源配線１５を電気的に切断し、電源オフ期間となる。
【００４６】
［リーク電流の抑制］
図９は、図１に示した表示部３における隣り合う画素２（２Ａ、２Ｂ）の模式図である。図示左側の画素２Ａは、駆動用ＴＦＴ２４ａ、ＳＲＡＭ２５ａ、及び画素電極２１１を備えている。図示右側の画素２Ｂは駆動用ＴＦＴ２４ｂ、ＳＲＡＭ２５ｂ、及び画素電極２１２を備えている。画素電極２１１、２１２の間には、絶縁層３１が形成されている。
【００４７】
ＳＲＡＭ２５ａはＰ−ＭＯＳ２５ａｐ１、２５ａｐ２、Ｎ−ＭＯＳ２５ａｎ１、２５ａｎ２により構成されており、ＳＲＡＭ２５ｂはＰ−ＭＯＳ２５ｂｐ１、２５ｂｐ２、Ｎ−ＭＯＳ２５ｂｎ１、２５ｂｎ２により構成されている。
【００４８】
隣り合う画素電極２１には異なる電位が入力されている。例えば、画素電極２１１にはハイレベルが入力され、画素電極２１２にはローレベルが入力されている。そのため、画素２Ａでは黒色が表示され、画素２Ｂでは白色が表示されている。
このとき、画素電極２１１、２１２の間には大きな電位差による電場が発生しているので、接着剤層３０ａを介してリーク電流が流れ易くなる。
【００４９】
従来の電気泳動表示装置では、図３に示した画素電極２１、２１間に絶縁層３１が形成されておらず、リーク経路を遮断することができなかったので、画素電極２１、２１間での横方向電界によってリーク電流が発生していた。このようなリーク電流は、前述したように接着剤層３０ａ中に水分が存在することにより、その導電性が高められていることから、より発生し易くなっている。
【００５０】
これに対して本発明では、隣り合う画素電極２１（２１１）、２１（２１２）間のリーク経路、すなわち横方向の電界を、絶縁層３１によって遮断するので、リーク電流の発生を良好に抑えることができる。すなわち、絶縁層３１を画素電極２１（２１１）、２１（２１２）間に形成しているので、画素電極２１の側端面２１ｂからのリーク電流を遮断することができ、したがってリーク電流の発生をより良好に抑えることができる。また、絶縁層３１の上面を、画素電極２１の上面から電気泳動層２３側に突出させているので、絶縁層３１の上側を越えて回り込むリーク電流の経路を長く（遠く）し、これによってこれらの間でリーク電流を生じにくくし、リーク電流を抑えることができる。
【００５１】
また、絶縁層３１を絶縁性吸湿材料で形成しているので、前記接着剤層３０ａ中に存在していた水分を絶縁層３１に吸着（吸収）し、接着剤層３０ａ中の水分を低減することができる。したがって、水分の存在によって接着剤層３０ａの導電性が高められることにより、リーク電流が生じ易くなるのを防止し、これによってリーク電流そのものを抑えることができる。
【００５２】
また、絶縁層３１が画素電極２１から離間して設けられているので、たとえ絶縁層３１が吸着した水分によって局部的に絶縁性が低下しても、画素電極２１、２１が水分を吸着した絶縁層３１のみを介して隣り合うことがなく、その間に接着剤層３０ａを介在するようになる。したがって、絶縁層３１に吸着された水分により、隣り合う画素電極２１（２１１）、２１（２１２）間でリーク電流が生じ易くなってしまうといったおそれを確実に防止することができる。
よって、得られた電気泳動表示装置１は、リーク電流に起因する表示性能の低下や消費電流の増大が防止され、これによって製品の信頼度が向上したものとなる。
【００５３】
［変形例］
図１０は、本発明に係る電気泳動表示装置１０１の構成図である。この電気泳動表示装置１０１が前記電気泳動表示装置１に係る回路構成と異なるところは、共通電源変調回路１０８が第１の制御線１１１及び第２の制御線１１２を介して画素１０２に接続されている点である。
【００５４】
図１１は、画素１０２の回路構成図である。画素１０２は、ＳＲＡＭ２５と第１の電極２１との間にスイッチ回路１３５が設置されている。スイッチ回路１３５は、第１のトランスファゲート１３６、及び第２のトランスファゲート１３７を備えている。トランスファゲート１３６、１３７は、並列に接続されたＰ−ＭＯＳ及びＮ−ＭＯＳにより構成されている。
【００５５】
トランスファゲート１３６、１３７のゲート部は、ＳＲＡＭ２５が接続されている。第１のトランスファゲート１３６のソース側は第１の制御線１１１に接続されている。第２のトランスファゲート１３７のソース側は第２の制御線１１２に接続されている。トランスファゲート１３６、１３７のドレイン側は、画素電極２１に接続されている。
【００５６】
図１０に示した電気泳動表示装置１０１では、ＳＲＡＭ１２５に入力された画像信号に基づいて、何れか１つのトランスファゲートが駆動される。駆動されたトランスファゲートと接続された制御線は、画素電極２１と接続されて、この制御線の電位が画素電極２１に入力される。これにより、画素１０２に画像が表示される。
図１１の回路構成を備えた電気泳動表示装置１０１においても、隣り合う画素１０２に異なる電位が入力されていると、電位差による電場が発生する。しかし、画素電極２１間に図３の絶縁層３１を備えることで、リーク電流を抑えることができる。
【００５７】
なお、本発明は前記実施形態に限定されることなく、本発明の要旨を逸脱しない範囲で種々の変更が可能である。例えば、絶縁層３１については、隣り合う画素電極２１、２１間の領域に設けられていれば、画素電極２１の側端面に接して形成されていても、また、画素電極２１の周縁部に乗り上げた状態で形成されていてもよい。
【００５８】
［電子機器］
本発明に係る電子機器は、前記の電気泳動表示装置１を備えてなるものである。
図１２は、本発明の電子機器をフレキシブルな電子ペーパに適用した場合の一例を示す図である。この電子ペーパ１０００は、従来の紙と同様の質感及び柔軟性を有するシートからなる本体１００１の表面に、前記電気泳動表示装置１を表示部として備えた構成となっている。
【００５９】
図１３は、本発明の電子機器を電子ノートに適用した場合の一例を示す図である。この電子ノート１１００は、図１２で示した電子ペーパ１０００が複数枚束ねられ、カバー１１０１に挟まれて構成されたものである。カバー１１０１には、例えば外部の装置から送られる表示データを入力する表示データ入力手段（図示は省略）が設けられている。これにより、その表示データに応じて、電子ペーパ１０００が束ねられた状態のまま、表示内容を変更したり更新したりできるようになっている。
このような構成からなる電子ペーパ１０００や電子ノート１１００によれば、前記したようにリーク電流に起因する表示性能の低下や消費電流の増大が防止され、これによって製品の信頼度が向上した電気泳動表示装置１を備えているので、これら電子ペーパ１０００や電子ノート１１００自体も、製品の信頼度が向上した良好なものとなる。
【００６０】
なお、前述した例に加えて、例えば液晶テレビ、ビューファインダ型やモニタ直視型のビデオテープレコーダ、カーナビゲーション装置、ページャ、電子手帳、電卓、ワードプロセッサ、ワークステーション、テレビ電話、ＰＯＳ端末、タッチパネル等の電子機器についても、前記電気泳動表示装置１を表示部として用いることで、本発明の電子機器となる。
【図面の簡単な説明】
【００６１】
【図１】電気泳動表示装置の構成図である。
【図２】画素の回路構成を示す図である。
【図３】本発明の実施形態に係る表示部の部分断面図である。
【図４】画素電極及び絶縁層の平面図である。
【図５】マイクロカプセルの構成図である。
【図６】マイクロカプセルの動作を説明した図である。
【図７】（ａ）〜（ｃ）は電気泳動表示装置の製造方法を説明するための図である。
【図８】タイミングチャートを示す図である。
【図９】隣り合う画素の模式図である。
【図１０】電気泳動表示装置の構成図である。
【図１１】画素の回路構成を示す図である。
【図１２】本発明に係る電子機器の一例を示す図である。
【図１３】本発明に係る電子機器の一例を示す図である。
【符号の説明】
【００６２】
１…電気泳動表示装置、２…画素、３…表示部、２１…画素電極、２１ａ…側端面、２２…共通電極（対向電極）、２３…電気泳動層、２４…駆動用ＴＦＴ、２５…ＳＲＡＭ、２８…素子基板（第１基板）、２９…対向基板（第２基板）、３０ａ…接着剤層（導電性接着剤層）、３０ｂ…バインダ層、３１…絶縁層、３２…感光性絶縁材料層、４０…マイクロカプセル、４１…分散媒、４２…白色粒子、４３…黒色粒子
【図１】
0004586863.tif 000003
【図２】
0004586863.tif 000004
【図３】
0004586863.tif 000005
【図４】
0004586863.tif 000006
【図５】
0004586863.tif 000007
【図６】
0004586863.tif 000008
【図７】
0004586863.tif 000009
【図８】
0004586863.tif 000010
【図９】
0004586863.tif 000011
【図１０】
0004586863.tif 000012
【図１１】
0004586863.tif 000013
【図１２】
0004586863.tif 000014
【図１３】
0004586863.tif 000015